(57)【要約】【課題】内部に浸入した雨水が器具本体に取り付けられた電子部品およびソケットに対してかからないようにして品質を向上できる照明器具を提供する。【解決手段】照明器具１０は、器具本体１１と、器具本体１１に取り付けられる直管形ランプ１６と、直管形ランプ１６の両端部に電気的および機械的に接続されるソケット１８と、少なくともソケット１８の一方の外側に設けられる水切板１９と、器具本体１１の前面において直管形ランプ１６の軸線上につまみねじ２１により取り付けられるカバー２２と、つまみねじ２１を通じて浸入してきた雨水を所定方向へ誘導するための溝部２３とを備え、水切板１９は、雨水を溝部２３へ誘導可能である。【選択図】図１
2012099260.tif 000002
【特許請求の範囲】
【請求項１】
器具本体と、
前記器具本体に取り付けられる直管形ランプと、
前記直管形ランプの両端部に電気的および機械的に接続されるソケットと、
少なくとも前記ソケットの一方の外側に設けられる水切板と、
前記器具本体の前面において前記直管形ランプの軸線上につまみねじにより取り付けられるカバーと、
前記つまみねじを通じて浸入してきた雨水を所定方向へ誘導するための溝部とを備え、
前記水切板は、前記雨水を前記溝部へ誘導可能である照明器具。
【請求項２】
請求項１に記載の照明器具において、
前記水切板が、前記器具本体に対して傾斜されている照明器具。
【請求項３】
請求項１または請求項２に記載の照明器具において、
前記水切板が、両側に立壁を有する照明器具。
【請求項４】
請求項１ないし請求項３のうちのいずれか１項に記載の照明器具において、
前記溝部が、前記つまみねじから離れる方向に下方に向けて傾斜する傾斜溝部である照明器具。
【発明の詳細な説明】
【技術分野】
【０００１】
本発明は、雨水等がかかる屋外に設置される照明器具に関する。
【背景技術】
【０００２】
従来より、光源を覆う枠体の下方を覆って傾斜面を有する底板の壁面側に水抜き部を設けた照明器具が知られている（例えば、特許文献１参照）。
特許文献１に記載の照明器具は、底板に沿って流れてきた水を、水抜き部から枠体の外部に排水できる。
【先行技術文献】
【特許文献】
【０００３】
【特許文献１】特開２００９−１２９７５７号公報（図２、請求項１）
【発明の概要】
【発明が解決しようとする課題】
【０００４】
前述した特許文献１に記載された照明器具は、遮水板やパッキン等の防水部材を必要とせずに防水することにより、部品点数を減少させてコストダウンを図ることができる。
ところで、前述した特許文献１に記載された照明器具と同様に、器具本体に取り付けられる雨水に弱い電子部品の取付面を絞ることにより電子部品の取付面と器具本体の他の面との間に段部を設けて、電子部品の取付面を器具本体の他の面よりも高くして雨水がかからないようにした照明器具が提案されている。
しかし、このような従来の照明器具は、器具本体の取付面上の電子部品に対しては雨水がかからなくできるものの、ランプの口金が接続されるソケットについては雨水がかからなくするようにできない。
従って、このような従来の照明器具は、器具本体に取り付けられた電子部品およびソケットに対して雨水がかからないようにできない。
【０００５】
本発明は、前述した課題を解決するためになされたものであり、その目的は、内部に浸入した雨水が器具本体に取り付けられた電子部品およびソケットに対してかからないようにして品質を向上できる照明器具を提供することにある。
【課題を解決するための手段】
【０００６】
本発明に係る照明器具は、器具本体と、前記器具本体に取り付けられる直管形ランプと、前記直管形ランプの両端部に電気的および機械的に接続されるソケットと、少なくとも前記ソケットの一方の外側に設けられる水切板と、前記器具本体の前面において前記直管形ランプの軸線上につまみねじにより取り付けられるカバーと、前記つまみねじを通じて浸入してきた雨水を所定方向へ誘導するための溝部とを備え、前記水切板は、前記雨水を前記溝部へ誘導可能である。
【０００７】
本発明に係る照明器具は、前記水切板が、前記器具本体に対して傾斜されている。
【０００８】
本発明に係る照明器具は、前記水切板が、両側に立壁を有する。
【０００９】
本発明に係る照明器具は、前記溝部が、前記つまみねじから離れる方向に下方に向けて傾斜する傾斜溝部である。
【発明の効果】
【００１０】
本発明に係る照明器具によれば、内部に浸入した雨水が器具本体に取り付けられた電子部品およびソケットに対してかからないようにして品質を向上できるという効果を奏する。
【図面の簡単な説明】
【００１１】
【図１】本発明に係る第１実施形態の照明器具の壁面への取付状態の垂直断面図
【図２】本発明に係る第１実施形態の照明器具のカバーを取り外した正面図
【図３】本発明に係る第１実施形態の照明器具のソケット周りの正面図
【図４】本発明に係る第２実施形態の照明器具のソケット周りの正面図
【発明を実施するための形態】
【００１２】
以下、本発明に係る複数の実施形態の照明器具について図面を参照して説明する。
(第１実施形態)
図１に示すように、本発明に係る第１実施形態の照明器具１０は、器具本体１１と、器具本体１１の中央部に配置された電子部品取付部１２に取り付けられる電子部品である安定器１３およびグロー管１４が装着されたグローソケット１５と、器具本体１１の前面に取り付けられる直管形ランプ１６と、直管形ランプ１６の両端部に有する一対の口金１７に電気的および機械的に接続される一対のソケット１８と、設置時に上方に配置されるソケット１８の上方の外側に取り付けられる水切板１９と、器具本体１１の前面においてソケット１８の外側に取り付けられた一対のブラケット２０と、ブラケット２０にねじ込まれるつまみねじ２１により器具本体１１の前面において直管形ランプ１６の軸線上に取り付けられる乳白色等の樹脂製のカバー２２と、電子部品取付部１２の周囲に配置されてつまみねじ２１を介して浸入してきた雨水を所定方向へ誘導するための溝部２３とを備え、壁面１の上下に長さを有する縦方向取付により壁面１に設置される。
【００１３】
図２に示すように、器具本体１１は、厚みの薄い金属製板部材を用いて長方形に形成されており、電子部品取付部１２に、図２中の上方から下方に向けて、一方のブラケット２０と、水切板１９と、一方のソケット１８と、一方の壁面取付用ねじ孔２４と、グローソケット１５と、安定器１３と、他方の壁面取付用ねじ孔２４と、他方のソケット１８と、他方のブラケット２０とが順次に配置されている。
【００１４】
一方のソケット１８の上方に配置される水切板１９は、一方のソケット１８の上部にひさし状に形成されている。水切板１９は、器具本体１１の短手方向の幅寸法（図３参照）Ｌ１よりも小さい幅寸法（図３参照）Ｌ２の板形状を有する本体２５を有し、本体２５の基部に器具本体１１にねじ止めされた器具本体取付板部２６を有する。水切板１９は、本体２５が水平方向に対して器具本体１１側から斜め上方に向けて所定の角度（図１参照）θ１で傾斜されている。
従って、水切板１９が器具本体１１に対して所定の角度θ１で傾斜されているために、水切板１９に滴下した雨水の進行方向を傾斜の下方である溝部２３に向けて誘導できる。
【００１５】
水切板１９は、器具本体１１の短手方向における本体２５の両側に一対の立壁２７を有する。一対の立壁２７は、器具本体１１の上方に向けて突出されている。
従って、水切板１９が両側に立壁２７を有するために、水切板１９の本体２５上に滴下した雨水が水切板１９の両側から落下しないようにして雨水を溝部２３に積極的に誘導できる。
なお、水切板１９は、一方のソケット１８の上方に配置されるのに加えて、他方のソケット１８の下方に配置されてもよい。
【００１６】
溝部２３は、器具本体１１における電子部品取付部１２の周囲に、壁面１に向けて所定の深さ寸法および幅寸法を有する。溝部２３は、その上端部において水切板１９の本体２５に平行に配置される上部溝部２８と、上部溝部２８の両端部に接続された一対の側部溝部２９と、その下端部において一対の側部溝部２９の下端部に接続された下部溝部３０とから、器具本体１１の正面視形状に相似する四角形の無端状に形成されている。
【００１７】
上部溝部２８は、側部溝部２９同士の内側の長さ寸法Ｌ３が水切板１９の一対の立壁２７が有する幅寸法Ｌ２よりもわずかに小さく、側部溝部２９同士の外側の長さ寸法Ｌ４が水切板１９の一対の立壁２７が有する幅寸法Ｌ２よりもわずかに大きい。そのため、溝部２３は、水切板１９の一対の立壁２７に対応した位置に配置されている。
【００１８】
図１に戻り、照明器具１０は、壁面１への取り付けにあたり、一方の壁面取付用ねじ孔２４と他方の壁面取付用ねじ孔２４とに挿通されたねじ３１が壁面１にねじ込まれることにより器具本体１１が壁面１の所定の位置に取り付けられる。次に、カバー２２を器具本体１１に被せ、カバー２２に有するねじ孔３２からブラケット２０に有するねじ孔３３につまみねじ２１がねじ込まれることによりカバー２２が器具本体１１の前面に取り付けられる。
【００１９】
次に、照明器具１０の作用について説明する。
図３に示すように、壁面１の上下に長さを有するように縦方向取付により屋外の壁面１に設置された照明器具１０に雨水がかかり、その雨水が、万が一に、つまみねじ２１を通じて内部に浸入した場合、雨水は器具本体１１の最上部側において水切板１９の本体２５上に滴下する。照明器具１０にかかった雨水のうち、カバー２２と器具本体１１の最上部との間から内部に浸入してきた雨水は、器具本体１１の最上部から溝部２３の上部溝部２８に流れる。
【００２０】
水切板１９の本体２５上に滴下された雨水は、水切板１９の本体２５が器具本体１１に対して角度θ１で傾斜されているために、進行方向が傾斜の下方である溝部２３の上部溝部２８に向けられる。そして、雨水は、溝部２３の上部溝部２８に誘導されていき、電子部品取付部１２の外周部において溝部２３の側部溝部２９をつたって下部溝部３０に流れ、下部溝部３０から器具本体１１の下方の外部へ放出される。このとき、雨水は、水切板１９が両側に立壁２７を有するために、水切板１９の本体２５上に滴下した後に水切板１９の両側から落下されずに本体２５上に集合されて溝部２３に積極的に誘導される。
【００２１】
一方、カバー２２と器具本体１１の最上部との間から内部に浸入してきた雨水は、器具本体１１の最上部から溝部２３の上部溝部２８に流れ、上部溝部２８から電子部品取付部１２の外周部において溝部２３の側部溝部２９をつたって下部溝部３０に流れ、下部溝部３０から器具本体１１の下方の外部へ放出される。
従って、つまみねじ２１を通じて浸入してきた雨水は、一方のソケット１８の上方に配置されている水切板１９の本体２５上に滴下した後に、水切板１９により溝部２３に誘導されて器具本体１１の下方の外部へと誘導されるために、ソケット１８に滴下することがないとともに電子部品取付部１２に取り付けられている安定器１３およびグローソケット１５等の電子部品にかからないように確実に制御される。
また、カバー２２と器具本体１１の最上部との間から内部に浸入してきた雨水は、器具本体１１の最上部から溝部２３の上部溝部２８に流れ、上部溝部２８から電子部品取付部１２の外周部において溝部２３の側部溝部２９をつたって下部溝部３０に流れ、下部溝部３０から器具本体１１の下方の外部へ放出されるために、ソケット１８に滴下することがないとともに電子部品取付部１２に取り付けられている安定器１３およびグローソケット１５等の電子部品にかからないように確実に制御される。
【００２２】
以上、説明したように第１実施形態の照明器具１０によれば、つまみねじ２１を通じて浸入してきた雨水が、一方のソケット１８の上方に配置されている水切板１９の本体２５上に滴下した後に、水切板１９により溝部２３に誘導されて器具本体１１の下方の外部へと誘導されるために、ソケット１８にかからないようにできるとともに電子部品取付部１２に取り付けられている安定器１３およびグローソケット１５等の電子部品にかからないようにして品質を向上できる。
【００２３】
また、第１実施形態の照明器具１０によれば、水切板１９の本体２５が器具本体１１に対して所定の角度θ１で傾斜されているために、水切板１９の本体２５上に滴下した雨水の進行方向を傾斜の下方である溝部２３に向けて誘導できる。
【００２４】
そして、第１実施形態の照明器具１０によれば、水切板１９が本体２５の両側に立壁２７を有するために、水切板１９の本体２５上に滴下した雨水が水切板１９の両側から漏れて落ちないようにして雨水を溝部２３に積極的に誘導できる。
【００２５】
（第２実施形態）
次に、本発明に係る第２実施形態の照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００２６】
図４に示すように、本発明に係る第２実施形態の照明器具５０は、溝部５１の上端部に、つまみねじ２１から離れる方向に下方に向けて傾斜する傾斜溝部５２を有する。
照明器具５０は、壁面１の上下に長さを有するように縦方向取付により屋外の壁面１に設置された後に雨水がかかり、その雨水が、万が一に、内部に浸入した場合、雨水は器具本体１１の最上部に滴下する。
【００２７】
器具本体１１の最上部に滴下された雨水は、器具本体１１の最上部の真下に配置されている傾斜溝部５２に向けて進行されていき、傾斜溝部５２から電子部品取付部１２の外周部において側部溝部２９をつたって下部溝部３０に流れ、下部溝部３０から器具本体１１の下方の外部へ放出される。
従って、内部に浸入してきた雨水が、傾斜溝部５２によりつまみねじ２１から離れる方向に下方に向けた動的なエネルギーを付与されるために、傾斜溝部５２から電子部品取付部１２の外周部において側部溝部２９をつたって下部溝部３０に流れ、下部溝部３０から器具本体１１の下方の外部へ放出される。
【００２８】
第２実施形態の照明器具５０によれば、内部に浸入してきた雨水が、傾斜溝部５２によりつまみねじ２１から離れる方向に下方に向けた動的なエネルギーを付与されるために、雨水の進行方向を誘導できる。
【００２９】
なお、本発明の照明器具において安定器，グローソケット，グロー管，直管形ランプ等は、前述した各実施形態に限定されるものでなく、適宜な変形や改良等が可能である。
【符号の説明】
【００３０】
１０，５０  照明器具
１１  器具本体
１６  直管形ランプ
１８  ソケット
１９  水切板
２１  つまみねじ
２２  カバー
２３，５１  溝部
２７  立壁
５２  傾斜溝部
【図１】
2012099260.tif 000003
【図２】
2012099260.tif 000004
【図３】
2012099260.tif 000005
【図４】
2012099260.tif 000006